(57)【特許請求の範囲】
【請求項１】
ゲージが取付けられるテスターブラケットと、
前記テスターブラケットに取付けられるトルクパルスシミュレーションモータと、
前記テスターブラケットに取付けられて、前記トルクパルスシミュレーションモータによって回転するクランクシャフトプーリと、
前記テスターブラケットに取付けられて、前記クランクシャフトプーリとベルトにより連結されて回転する補機類システムと、
前記補機類システムが取付けられるプーリブラケット及び前記プーリブラケットを固定する調節ボルトと、
前記トルクパルスシミュレーションモータの作動を制御する制御部と、
前記補機類システム及びベルトから発生する騒音を測定する騒音測定装置と、
を含み、
前記制御部は、トルクパルスシミュレーションモータの作動がエンジンの各行程に対応するように、そのトルクを変動制御させると共に、騒音測定装置から出力される信号と、予め設定された騒音基準信号とを比較して、比較された信号を出力し、
前記テスターブラケットに取付けられる前記補機類システムは、前記調節ボルトの締結位置を調節することにより、装着位置及び装着角度が変更可能であり、
前記ゲージは、前記補機類システムの装着位置及び装着角度を測定するように前記テスターブラケットに取付けられることを特徴とする補機類ベルトシステム検査装置。
【請求項２】
前記補機類システムはウォータポンプを含み、
制御部は、実車条件を実現するようにウォータポンプの水圧を調節することを特徴とする請求項１に記載の補機類ベルトシステム検査装置。
【請求項３】
前記補機類システムは始動モータを含み、
制御部は、実車条件を実現するように始動モータの電流負荷を調節することを特徴とする請求項１に記載の補機類ベルトシステム検査装置。
【請求項４】
前記補機類システムは、始動モータと電気的に接続されたバッテリシミュレータをさらに含み、
制御部は、バッテリシミュレータの充電／放電状態を診断して当該信号を出力することを特徴とする請求項３に記載の補機類ベルトシステム検査装置。
【請求項５】
前記補機類システムはエアコンを含み、
制御部は、実車条件を実現するようにエアコンの冷媒圧力を調節することを特徴とする請求項１に記載の補機類ベルトシステム検査装置。
【請求項６】
前記補機類システムは油圧ポンプをさらに含み、
制御部は、実車条件を実現するように油圧ポンプの油圧を調節することを特徴とする請求項１に記載の補機類ベルトシステム検査装置。
【請求項７】
前記補機類システムは、
テスターブラケットに取付けられてベルトにより駆動されるテンショナと、
テンショナの動きを測定するテンショナ変位測定センサーと、
をさらに含み、
制御部は、テンショナ変位測定センサーの出力信号の入力を受けて、予め設定された基準変位と比較し、当該信号を出力することを特徴とする請求項１に記載の補機類ベルトシステム検査装置。
【請求項８】
前記請求項１による補機類ベルトシステム検査装置が挿入されて、予め設定された温度及び湿度を含む基準環境を補機類システムに提供する環境ボックスを含むことを特徴とする補機類検査システム。
【発明の詳細な説明】
【技術分野】
【０００１】
本発明は、補機類ベルトシステム検査装置、及びこれを含む検査システムに係り、より詳しくは、補機類ベルトのノイズ発生などを検査できる補機類ベルトシステム検査装置、及びこれを含む検査システムに関する。
【背景技術】
【０００２】
エンジンのクランクシャフトによって駆動されるエアコン（ａｉｒ  ｃｏｎｄｉｔｉｏｎｅｒ）、オルタネート（ａｌｔｅｒｎａｔｏｒ）またはモータ／ジェネレータ（ｍｏｔｏｒ／ｇｅｎｅｒａｔｏｒ）等を補機類（ａｕｘｉｌｉａｒｙ  ｍａｃｈｉｎｅｒｙ  ｏｒ  ａｕｘｉｌｉａｒｙ  ｂｅｌｔ  ｓｙｓｔｅｍ）という。
近年、車両の騒音振動の防止などに対する消費者の要求が増大して、補機類によって発生する振動／騒音の低減に大きな関心が寄せられている。
車両の開発段階で補機類などが装着されたエンジンをエンジンダイナ（ｅｎｇｉｎｅ  ｄｙｎｏ；ｅｎｇｉｎｅ  ｄｙｎａｍｏｍｅｔｅｒ）を利用して試験するとき、このような補機類ベルトなどの騒音、振動などを測定している。
しかし、このような方法は、テスト用エンジンの製作費用が高価であり、エンジンの騒音、振動、実験室内の騒音などによってエラーが発生する可能性があり、実験室内で多様な実際車両の環境、例えば、多様な温度、湿度などの環境を実現することが困難であるという問題がある。
【先行技術文献】
【特許文献】
【０００３】
【特許文献１】特開２００７−１３１４５７号公報
【発明の概要】
【発明が解決しようとする課題】
【０００４】
本発明は、上記の問題点に鑑みてなされたものであって、本発明の目的は、初期の車両開発段階で補機類の騒音、振動などを正確に診断できる補機類ベルトシステム検査装置、及びこれを含む検査システムを提供することにある。
また、本発明の他の目的は、多様な車両環境条件を実現して、診断費用を節減することができる補機類ベルトシステム検査装置、及びこれを含む検査システムを提供することにある。
【課題を解決するための手段】
【０００５】
上記課題を解決するための本発明の補機類ベルトシステム検査装置は、ゲージが取付けられるテスターブラケットと、前記テスターブラケットに取付けられるトルクパルスシミュレーションモータと、前記テスターブラケットに取付けられて、前記トルクパルスシミュレーションモータによって回転するクランクシャフトプーリと、前記テスターブラケットに取付けられて、前記クランクシャフトプーリとベルトにより連結されて回転する補機類システムと、前記補機類システムが取付けられるプーリブラケット及び前記プーリブラケットを固定する調節ボルトと、前記トルクパルスシミュレーションモータの作動を制御する制御部と、前記補機類システム及びベルトから発生する騒音を測定する騒音測定装置と、を含み、前記制御部は、トルクパルスシミュレーションモータの作動がエンジンの各行程に対応するように、そのトルクを変動制御させると共に、騒音測定装置から出力される信号と、予め設定された騒音基準信号とを比較して、比較された信号を出力し、前記テスターブラケットに取付けられる前記補機類システムは、前記調節ボルトの締結位置を調節することにより、装着位置及び装着角度が変更可能であり、前記ゲージは、前記補機類システムの装着位置及び装着角度を測定するように前記テスターブラケットに取付けられることを特徴とする。
【０００８】
前記補機類システムはウォータポンプを含み、前記制御部は、実車条件を実現するように前記ウォータポンプの水圧を調節することを特徴とする。
【０００９】
前記補機類システムは始動モータを含み、前記制御部は、実車条件を実現するように前記始動モータの電流負荷を調節することを特徴とする。
【００１０】
前記補機類システムは、前記始動モータと電気的に接続されたバッテリシミュレータをさらに含み、前記制御部は、前記バッテリシミュレータの充電／放電状態を診断して当該信号を出力することを特徴とする。
【００１１】
前記補機類システムはエアコンを含み、前記制御部は、実車条件を実現するように前記エアコンの冷媒圧力を調節することを特徴とする。
【００１２】
前記補機類システムは油圧ポンプをさらに含み、前記制御部は、実車条件を実現するように前記油圧ポンプの油圧を調節することを特徴とする。
【００１４】
前記補機類システムは、前記テスターブラケットに取付けられて前記ベルトにより駆動されるテンショナと、前記テンショナの動きを測定するテンショナ変位測定センサーと、をさらに含み、前記制御部は、前記テンショナ変位測定センサの出力信号の入力を受けて、予め設定された基準変位と比較し、当該信号を出力するこを特徴とする。
【００１５】
本発明の補機類ベルトシステムは、前記補機類ベルトシステム検査装置が挿入されて、予め設定された温度及び湿度を含む基準環境を補機類システムに提供する環境ボックスを含むことを特徴とする。
【発明の効果】
【００１６】
本発明の補機類ベルトシステム検査装置、及びこれを含む検査システムによれば、初期の車両開発段階で補機類の騒音、振動などを正確に診断することができる。
また、多様な車両環境条件を実現して費用を節減することができる。
【図面の簡単な説明】
【００１７】
【図１】本発明の実施形態による補機類ベルトシステム検査装置の斜視図である。
【図２】本発明の実施形態による補機類ベルトシステム検査装置のブロック図である。
【図３】本発明の実施形態による補機類ベルトシステム検査装置の一部正面図である。
【図４】本発明の実施形態による補機類ベルトシステム検査装置の補機類装着部を示した図面である。
【図５】本発明の実施形態による補機類ベルトシステム検査装置のテンショナの変位を示したグラフである。
【図６】本発明の実施形態による補機類検査システムの環境ボックスを示した斜視図である。
【発明を実施するための形態】
【００１８】
以下、添付した図面を参照し本発明について詳細に説明する。
図１は、本発明の実施形態による補機類ベルトシステム検査装置の斜視図であり、図２は、補機類ベルトシステム検査装置のブロック図であり、図３は、補機類ベルトシステム検査装置の一部正面図である。
図１乃至図３に示す通り、本発明の実施形態による補機類ベルトシステム検査装置は、テスターブラケット２００と、テスターブラケット２００に取付けられるトルクパルスシミュレーションモータ２０と、テスターブラケット２００に取付けられて、トルクパルスシミュレーションモータ２０によって回転するクランクシャフトプーリ２２と、テスターブラケット２００に取付けられて、クランクシャフトプーリ２２とベルト２５により連結されて回転する補機類システム３０と、トルクパルスシミュレーションモータ２０の作動を制御する制御部１０と、を含む。
ベルト２５は、エンジンの動力を補機類に伝達するベルト、チェーンなどを全て含む概念である。
テスターブラケット２００には、ベルト２５の張力を調節するためのアイドラ２１０、２１２と、ベルト２５の張力を維持するためのテンショナ９０が取付けられる。
補機類ベルトシステム検査装置は、一般的なエンジンをトルクパルスシミュレーションモータ２０に代替して、エンジンの騒音などによる干渉を排除できるので、補機類システム３０の騒音、振動特性を歪曲なしに検査することができる。
【００１９】
補機類システム３０の騒音、振動特性は、ベルト２５の騒音、振動を含む概念である。
制御部１０は、トルクパルスシミュレーションモータ２０の作動がエンジンの各行程に対応するように、そのトルクを変動制御することができる。
一般的なエンジンは、各行程に応じてトルクが変動し、制御部１０がトルクパルスシミュレーションモータ２０のトルクを一般的なエンジンと類似するように実現して、  補機類システム３０自体の騒音、振動特性を正確に診断することができる。
補機類ベルトシステム検査装置は、補機類システム３０から発生する騒音を測定する騒音測定装置８０をさらに含み、制御部１０は、騒音測定装置８０から出力される信号と、予め設定された騒音基準信号とを比較して、比較された信号を出力する。
騒音測定装置８０は、例えば、マイク（ｍｉｃｒｏｐｈｏｎｅ）であってもよく、予め設定された騒音基準信号は、一般的なエンジンの騒音を含む車両の騒音としてマップ１１０に保存することができる。制御部１０は、騒音測定装置８０から出力される信号と、設定された騒音基準信号とを比較して、エンジンなどの騒音をフィルタリングした後、フィルタリングされた騒音を補機類システム３０の騒音として、例えば、グラフなどに出力する。
【００２０】
補機類システム３０はウォータポンプ４０を含み、制御部１０は、実車条件を実現するようにウォータポンプ４０の水圧を調節することができる。
ウォータポンプ４０は、ベルト２５によってクランクシャフトプーリ２２とウォータポンププーリ４２に連結されて回転する。
一般的な車両では作動状態によってウォータポンプはその負荷が変動するので、本発明の実施形態による前記ウォータポンプ４０が一般的なウォータポンプの作動と類似する作動をとるように、その作動制御信号がマップ１１０に保存され、制御部１０の制御によってウォータポンプ４０に加えられる負荷が変動する。したがって、補機類ベルトシステム検査装置は、ウォータポンプ４０を含む補機類システム３０の騒音／振動特性を実車と同様に診断することが可能である。ウォータポンプ４０の作動制御信号は試験によって決定される。
補機類システム３０は始動モータ５０を含み、制御部１０は、実車条件を実現するように始動モータ５０の電流負荷を調節することができる。
【００２１】
本発明の実施形態で、始動モータ５０は、例えば、発電用オルタネート（ａｌｔｅｒｎａｔｏｒ）、始動用モータ、またはモータ／ジェネレータを含む概念である。
始動モータ５０は、ベルト２５によってクランクシャフトプーリ２２と始動モータプーリ５２に連結されて回転する。
一般的な車両では作動状態によって始動モータはその負荷が変動するので、本発明の実施形態による始動モータ５０が一般的な始動モータと類似作動を行うように、その作動制御信号がマップ１１０に保存され、制御部１０の制御によって始動モータ５０に加えられる負荷が変動する。したがって、補機類ベルトシステム検査装置は、始動モータ５０を含む補機類システム３０の騒音／振動特性を実車と同様に診断することが可能である。始動モータ５０の作動制御信号は試験によって決定される。
補機類システム３０は、始動モータ５０と電気的に接続されたバッテリシミュレータ１００をさらに含み、制御部１０は、バッテリシミュレータ１００の充電／放電状態を診断して、当該信号を出力する。
【００２２】
一般的な車両では、作動状態によってバッテリは充電と放電を反復し、制御部１０は、始動モータ５０によって充電及び放電するバッテリシミュレータ１００の状態を検出して、実際車両と類似するバッテリの作動状態を診断することができる。
補機類システム３０はエアコン６０を含み、制御部１０は、実車条件を実現するようにエアコン６０の冷媒圧力を調節することができる。
テスターブラケット２００にはエアコンプーリ６２が取付けられ、ベルト２５を通じてクランクシャフトプーリ２２によって回転する。エアコンプーリ６２はエアコン６０のコンプレッサーを作動させる。
一般的な車両では作動状態によってエアコンはその負荷が変動するので、本発明の実施形態によるエアコン６０が一般的なエアコンの作動と類似する作動を行うように、その作動制御信号がマップ１１０に保存され、制御部１０の制御によってエアコン６０に加えられる負荷、即ち、冷媒圧力が変動する。したがって、本発明の実施形態による補機類ベルトシステム検査装置は、エアコン６０を含む補機類システム３０の騒音／振動特性を実車と同様に診断することが可能である。エアコン６０の作動制御信号は試験によって決定される。
【００２３】
補機類システム３０は油圧ポンプ７０をさらに含み、制御部１０は、実車条件を実現するように油圧ポンプ７０の油圧を調節することができる。
図１及び図３には油圧ポンプ７０を図示していないが、ベルト２５によりクランクシャフトプーリ２２と連結されて回転できる。
油圧ポンプ７０は、例えば、油圧式パワーステアリング装置を駆動する油圧を形成することができ、エンジン及び変速機を作動するための油圧を形成することも可能である。
一般的な車両では作動状態によって油圧ポンプはその負荷が変動するので、本発明の油圧ポンプ７０が一般的な油圧ポンプと類似作動するように、その作動制御信号がマップ１１０に保存され、制御部１０の制御によって油圧ポンプ７０に加えられる負荷が変動する。したがって、本発明の実施形態による補機類ベルトシステム検査装置は、油圧ポンプ７０を含む補機類システム３０の騒音／振動特性を実車と同様に診断することが可能である。油圧ポンプ７０の作動制御信号は試験によって決定される。
【００２４】
図４は、本発明の実施形態による補機類ベルトシステム検査装置の補機類装着部を示した図面である。
図４に示す通り、テスターブラケット２００に取付けられる補機類システム３０は、その装着位置及び装着角度が変更可能である。
例えば、ウォータポンププーリ４２、始動モータプーリ５２、エアコンプーリ６２、またはアイドラ２１０、２１２は、テスターブラケット２００に固定されたプーリブラケット２２０に調節ボルト２２２によって取付けられる。
補機類システム３０の装着位置及び装着角度は、実車の公差を考慮して予め設定された値であり、調節ボルト２２２の締結位置を調節して補機類システム３０の装着位置及び装着角度を変更することができる。テスターブラケット２００にゲージ２２４が取付けられて、予め設定された公差ほど多様な装着位置及び装着角度の変更が可能である。
【００２５】
図５は、本発明の実施形態による補機類ベルトシステム検査装置のテンショナの変位を示したグラフである。
図１乃至図３及び図５に示す通り、補機類システム３０は、テスターブラケット２００に取付けられてベルト２５によって駆動されるテンショナ９０、及びテンショナ９０の動きを測定するテンショナ変位測定センサー９２をさらに含み、制御部１０は、テンショナ変位測定センサー９２の出力信号の入力を受けて、予め設定された基準変位と比較し、当該信号を出力することができる。
図５において、実線は、エンジンによって作動する一般的なテンショナの動きを示し、点線は、本発明の実施形態によるトルクパルスシミュレーションモータ２０によるテンショナ９０の動きを示す。
制御部１０は、テンショナ９０の動きを実際エンジンによるテンショナの動きと比較して、トルクパルスシミュレーションモータ２０によって実際エンジンの作動状態が実現されるか否かを判断する。
【００２６】
図６は、本発明の実施形態による補機類検査システムの環境ボックスを示した斜視図である。図６に示す通り、本発明の実施形態による補機類検査システムは、補機類ベルトシステム検査装置が挿入されて、予め設定された温度及び湿度を含む基準環境を補機類システム３０に提供する環境ボックス３００を含む。
環境ボックス３００は、実際車両が接する温度及び湿度を実現することができ、補機類システム３０を環境ボックス３００内に具備させて、補機類システム３０の作動状態を点検することが可能である。したがって、実験室内の温度及び湿度を実際車両の環境に転換する必要がなく、多様な環境状況下における補機類システム３０の作動状態を容易に点検することができる。
上記の通り、本発明の実施形態による補機類ベルトシステム検査装置、及びこれを含む検査システムによれば、初期の車両開発段階において、ベルトを含む補機類の騒音、振動などをエンジン、変速機などの騒音を排除して正確に診断することができ、また、多様な車両環境条件を容易に実現して費用を節減することができる。
【００２７】
以上、本発明に関する好ましい実施形態について説明したが、本発明は上記実施形態に限定されるものではなく、本発明の属する技術分野を逸脱しない範囲での全ての変更が含まれる。
【符号の説明】
【００２８】
１０  制御部
２０  トルクパルスシミュレーションモータ
２２  クランクシャフトプーリ
２５  ベルト
３０  補機類システム
４０  ウォータポンプ
４２  ウォータポンププーリ
５０  始動モータ
５２  始動モータプーリ
６０  エアコン
６２  エアコンプーリ
７０  油圧ポンプ
８０  騒音測定装置
９０  テンショナ
９２  テンショナ変位測定センサー
１００  バッテリシミュレータ
１１０  マップ
２００  テスターブラケット
２１０、２１２  アイドラ
２２０  プーリブラケット
２２２  ボルト
２２４  ゲージ
３００  環境ボックス
【図１】
0006761624.tif 000002
【図２】
0006761624.tif 000003
【図３】
0006761624.tif 000004
【図４】
0006761624.tif 000005
【図５】
0006761624.tif 000006
【図６】
0006761624.tif 000007